【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
（ａ）少なくとも一つのテーブルと、
（ｂ）床に配置され、前記テーブルを支持するスタンドと、
（ｃ）コンピュータによって制御されるプロジェクタと、
（ｄ）前記スタンドに取付けられた映像システムと、を備え、
前記映像システムによって前記テーブル上に映像を投影可能であることを特徴とするテーブル一体型コンピュータ制御プロジェクタユニット。
【請求項２】
前記映像システムは、プロジェクタであり、
前記床に配置されるスタンドが単独で前記テーブル及び前記映像システムの両方を支持することを特徴とする請求項１に記載のテーブル一体型コンピュータ制御プロジェクタユニット。
【請求項３】
前記プロジェクタは、前記スタンドに取り付けられ、前記テーブルの上方に配置されることを特徴とする請求項１又は２に記載のテーブル一体型コンピュータ制御プロジェクタユニット。
【請求項４】
前記映像システムは、前記プロジェクタからの光を前記テーブルの上に反射するように向けられたミラーであることを特徴とする請求項１に記載のテーブル一体型コンピュータ制御プロジェクタユニット。
【請求項５】
前記プロジェクタは、前記スタンドに取り付けられ、前記テーブルの下方に配置されることを特徴とする請求項４に記載のテーブル一体型コンピュータ制御プロジェクタユニット。
【請求項６】
前記映像システムは、笠によって囲まれていることを特徴とする請求項１乃至５の何れか１項に記載のテーブル一体型コンピュータ制御プロジェクタユニット。
【請求項７】
前記テーブルは、前記コンピュータに接続される一つ以上の統合カーソル制御デバイスを含むことを特徴とする請求項１乃至６の何れか１項に記載のテーブル一体型コンピュータ制御プロジェクタユニット。
【請求項８】
前記統合カーソル制御デバイスは、前記コンピュータに無線で接続されるトラックパッドであることを特徴とする請求項７に記載のテーブル一体型コンピュータ制御プロジェクタユニット。
【請求項９】
前記コンピュータは、前記テーブルの下方に取付けられることを特徴とする請求項１乃至８の何れか１項に記載のテーブル一体型コンピュータ制御プロジェクタユニット。
【請求項１０】
前記コンピュータは、リモートサーバに接続されることを特徴とする請求項１乃至９の何れか１項に記載のテーブル一体型コンピュータ制御プロジェクタユニット。
【請求項１１】
前記コンピュータは、電子ＰＯＳ端末に接続されることを特徴とする請求項１乃至１０の何れか１項に記載のテーブル一体型コンピュータ制御プロジェクタユニット。
【請求項１２】
前記コンピュータは、ワイヤレスで又はケーブルによって前記リモートサーバ及び前記電子ＰＯＳ端末に接続されることを特徴とする請求項１０又は１１に記載のテーブル一体型コンピュータ制御プロジェクタユニット。
【請求項１３】
前記ユニットが双方向の飲食物注文システムの一部を形成することを特徴とする請求項１乃至１２の何れか１項に記載のテーブル一体型コンピュータ制御プロジェクタユニット。
【請求項１４】
前記コンピュータ制御プロジェクタは、前記テーブルの表面の一部又は全部の上に飲食物選択オプションのメニューを投影することを特徴とする請求項１３に記載のテーブル一体型コンピュータ制御プロジェクタユニット。
【請求項１５】
前記選択オプションは、前記コンピュータに接続された、無線トラックパッドを含むインターフェイスデバイスを操作するユーザによって選択可能であることを特徴とする請求項１４に記載のテーブル一体型コンピュータ制御プロジェクタユニット。
【請求項１６】
前記ユニットは、前記スタンド、前記プロジェクタ及び前記映像システムが通常の使用では相互に物理的に常設的に接続される集合体の装置であるが、室内の異なる位置又は他の空間に移動可能に構成され、取り外せないように設置されるものではなく、可搬性を有するものであることを特徴とする請求項１乃至１５の何れか１項に記載のテーブル一体型コンピュータ制御プロジェクタユニット。
【請求項１７】
電源及び処理のためのデータ接続のみを必要とすることを特徴とする請求項１乃至１６の何れか１項に記載のテーブル一体型コンピュータ制御プロジェクタユニット。
【請求項１８】
前記データ接続は、無線によるものであることを特徴とする請求項１７に記載のテーブル一体型コンピュータ制御プロジェクタユニット。
【請求項１９】
前記データ接続は、ケーブルに基づくものであることを特徴とする請求項１７に記載のテーブル一体型コンピュータ制御プロジェクタユニット。
【請求項２０】
前記スタンドは、前記テーブル及び前記映像システムを支持する一つ以上の剛性部材を含むことを特徴とする請求項１乃至１９の何れか１項に記載のテーブル一体型コンピュータ制御プロジェクタユニット。
【請求項２１】
前記スタンドは、床パネルに取り付けられ、単独で直立する一つの剛性部材であることを特徴とする請求項１乃至２０の何れか１項に記載のテーブル一体型コンピュータ制御プロジェクタユニット。
【請求項２２】
前記スタンドは、前記テーブルを支持する少なくとも一つの剛性部材と、前記映像システムを支持する異なる剛性部材とを含むことを特徴とする請求項１乃至２０の何れか１項に記載のテーブル一体型コンピュータ制御プロジェクタユニット。
【請求項２３】
モジュール式であって、その複数のユニットは大きな複合ユニットを形成するように同一平面上の嵌め合い端でくっつけることができることを特徴とする請求項１乃至２２の何れか１項に記載のテーブル一体型コンピュータ制御プロジェクタユニット。
【請求項２４】
電源ケーブルは、床を介して配されることを特徴とする請求項１乃至２３の何れか１項に記載のテーブル一体型コンピュータ制御プロジェクタユニット。
【手続補正２】
【補正対象書類名】明細書
【補正対象項目名】０００６
【補正方法】変更
【補正の内容】
【０００６】
本発明の第１の態様によれば、（ａ）少なくとも一つのテーブルと、（ｂ）テーブルに接続されたスタンドと、（ｃ）コンピュータによって制御されるプロジェクタと、（ｄ）スタンドに取付けられた映像システムと、を備え、映像システムによってテーブル上に映像を投影可能であるテーブル一体型コンピュータ制御プロジェクタユニットを提供する。
本ユニットはテーブルとコンピュータ制御プロジェクタユニットとの両方を組み合わせたものであるので、簡単に設置することができ、いずれの天井配線も必要としない。
テーブル一体型コンピュータ制御プロジェクタユニットは、映像システムがプロジェクタであって、テーブルがスタンドによって支持されるものであってもよい。
テーブル一体型コンピュータ制御プロジェクタユニットは、プロジェクタが、スタンドに取り付けられ、テーブルの上方に配置されるものであってもよい。
テーブル一体型コンピュータ制御プロジェクタユニットは、映像システムが、プロジェクタからの光をテーブルの上に反射するように向けられたミラーであるものであってもよい。
テーブル一体型コンピュータ制御プロジェクタユニットは、プロジェクタが、スタンドに取り付けられ、テーブルの下方に配置されるものであってもよい。
テーブル一体型コンピュータ制御プロジェクタユニットは、映像システムが、笠によって囲まれているものであってもよい。
テーブル一体型コンピュータ制御プロジェクタユニットは、テーブルが、コンピュータに接続される一つ以上の統合カーソル制御デバイスを含むものであってもよい。
テーブル一体型コンピュータ制御プロジェクタユニットは、統合カーソル制御デバイスが、コンピュータに無線で接続されるトラックパッドであるものであってもよい。
テーブル一体型コンピュータ制御プロジェクタユニットは、コンピュータが、テーブルの下方に取付けられるものであってもよい。
テーブル一体型コンピュータ制御プロジェクタユニットは、コンピュータが、リモートサーバに接続されるものであってもよい。
テーブル一体型コンピュータ制御プロジェクタユニットは、コンピュータが、電子ＰＯＳ端末に接続されるものであってもよい。
テーブル一体型コンピュータ制御プロジェクタユニットは、コンピュータが、ワイヤレスで又はケーブルによってリモートサーバ及び電子ＰＯＳ端末に接続されるものであってもよい。
テーブル一体型コンピュータ制御プロジェクタユニットは、ユニットが双方向の飲食物注文システムの一部を形成するものであってもよい。
テーブル一体型コンピュータ制御プロジェクタユニットは、テーブルの表面の一部又は全部の上に飲食物選択オプションのメニューを投影するものであってもよい。
テーブル一体型コンピュータ制御プロジェクタユニットは、選択オプションが、コンピュータに接続された、無線トラックパッドを含むインターフェイスデバイスを操作するユーザによって選択可能であるものであってもよい。
テーブル一体型コンピュータ制御プロジェクタユニットは、ユニットが室内の異なる位置又は他の空間に移動可能であって取り外せないように設置されるものではない点で可搬性を有するものでものであってもよい。
テーブル一体型コンピュータ制御プロジェクタユニットは、電源及び処理のためのデータ接続のみを必要とするものであってもよい。
テーブル一体型コンピュータ制御プロジェクタユニットは、データ接続が、無線によるものであってもよい。
テーブル一体型コンピュータ制御プロジェクタユニットは、データ接続が、ケーブルに基づくものであってもよい。
テーブル一体型コンピュータ制御プロジェクタユニットは、スタンドが、テーブル及び映像システムを支持する一つ以上の剛性部材を含むものであってもよい。
テーブル一体型コンピュータ制御プロジェクタユニットは、スタンドが、床パネルに取り付けられる一つの直立した剛性部材であるものであってもよい。
テーブル一体型コンピュータ制御プロジェクタユニットは、スタンドが、テーブルを支持する少なくとも一つの剛性部材と、映像システムを支持する異なる剛性部材とを含むものであってもよい。
テーブル一体型コンピュータ制御プロジェクタユニットは、モジュール式であって、その複数のユニットは大きな複合ユニットを形成するように同一平面上の嵌め合い端でくっつけることができるものであってもよい。
テーブル一体型コンピュータ制御プロジェクタユニットは、電源ケーブルが、床を介して配されるものであってもよい。
本発明の第２の態様によれば、上記テーブル一体型コンピュータ制御プロジェクタユニットを含む施設を提供する。